(57)【要約】【課題】コンビニエンスストアで取り扱いやすい、プリペイドカード付き帳票一体型カード台紙を提供する。【解決手段】プリペイドカード付き帳票一体型カード台紙１は、プリペイドカード１０と、プリペイドカード１０を分離可能に保持する台紙１００と、台紙本体部側吊り孔１１１と被覆部側吊り孔１３１とを備える。台紙１００は、カード配置部１１２を有する台紙本体部１１０と帳票部１２０とを含む。帳票部１２０は、電子的に読み取られる情報が記録される帳票部側バーコード１２１を有する。プリペイドカード１０は、電子的に読み取られる情報が記録されるカード側バーコード１１を有する表面を含む。プリペイドカード１０は、表面とカード配置部１１２との間に裏面が配置されるように台紙１００に保持される。カード側バーコード１１に記録される情報と帳票部側バーコード１２１に記録される情報とは、予め定められた方法で関連づけられている。【選択図】図１
2012076321.tif 000002
【特許請求の範囲】
【請求項１】
プリペイドカードと、
前記プリペイドカードを分離可能に保持する台紙と、
前記台紙を展示するための展示手段とを備え、
前記台紙は、前記プリペイドカードが配置されるカード配置部を有する台紙本体部と、前記台紙本体部と分離可能に形成されて払込票として使用されるように構成される帳票部とを含み、
前記帳票部は、電子的に読み取られる情報が記録される帳票部側情報部を有し、
前記プリペイドカードは、電子的に読み取られる情報が記録されるカード側情報部を有する表面と、前記表面に対向する裏面とを含み、前記表面と前記カード配置部との間に前記裏面が配置されるように前記台紙に保持され、
前記カード側情報部に記録される情報と前記帳票部側情報部に記録される情報とが予め定められた方法で関連づけられている、プリペイドカード付き帳票一体型カード台紙。
【請求項２】
前記カード側情報部と前記帳票部側情報部とは、同一のバーコードによって形成されている、請求項１に記載のプリペイドカード付き帳票一体型カード台紙。
【請求項３】
前記台紙と前記展示手段とが一体に形成されている、請求項１または請求項２に記載のプリペイドカード付き帳票一体型カード台紙。
【請求項４】
前記プリペイドカードの表面を覆うための被覆部を備える、請求項１から請求項３までのいずれか１項に記載のプリペイドカード付き帳票一体型カード台紙。
【請求項５】
前記被覆部が前記プリペイドカードの表面を覆った状態に保持するための被覆状態保持手段を備える、請求項４に記載のプリペイドカード付き帳票一体型カード台紙。
【請求項６】
複数の前記被覆状態保持手段を備える、請求項５に記載のプリペイドカード付き帳票一体型カード台紙。
【請求項７】
前記台紙と前記被覆部とが一体に形成されている、請求項４から請求項６までのいずれか１項に記載のプリペイドカード付き帳票一体型カード台紙。
【請求項８】
前記展示手段は、前記台紙本体部と前記被覆部との両方に一体に形成されている、請求項４から請求項７のいずれか１項に記載のプリペイドカード付き帳票一体型カード台紙。
【請求項９】
前記台紙と前記展示手段と前記被覆部とが一枚の紙基材によって形成され、
前記被覆部と前記台紙本体部とが互いに隣接するように、前記被覆部と前記台紙本体部と前記帳票部とが一つの列に並べられて配置され、
前記列に沿った方向において、前記帳票部の長さは、前記台紙本体部の長さと比較して相対的に短い、請求項８に記載のプリペイドカード付き帳票一体型カード台紙。
【請求項１０】
前記台紙と前記展示手段と前記被覆部とが一枚の紙基材によって形成され、
前記帳票部と前記台紙本体部とが互いに隣接するように配置され、前記台紙本体部と前記被覆部とが互いに隣接するように配置され、
前記帳票部と前記台紙本体部との境界と、前記台紙本体部と前記被覆部との境界とにおいて、前記紙基材が折り曲げられた折り曲げ部が形成され、
前記被覆状態保持手段は、前記帳票部において前記台紙本体部に隣接する側の端部に対向する端部において、前記帳票部上に前記被覆部を固定するように形成されている、請求項８または請求項９に記載のプリペイドカード付き帳票一体型カード台紙。
【請求項１１】
前記被覆状態保持手段は、前記被覆部において前記台紙本体部に隣接する側の端部に対向する端部において、前記帳票部上に前記被覆部を固定するように形成されている、請求項９または請求項１０に記載のプリペイドカード付き帳票一体型カード台紙。
【発明の詳細な説明】
【技術分野】
【０００１】
本発明は、一般的にはカード台紙に関し、特定的には、ＰＯＳ（販売時点）アクティベーション化されるプリペイドカードと、そのカードの管理等に用いられる帳票とが一体にされたプリペイドカード付き帳票一体型カード台紙に関する。
【背景技術】
【０００２】
従来、プリペイドカードは、コンビニエンスストア、郵便局、銀行等で販売されている。このようなプリぺイドカードには、レジや窓口等の販売時点で所定の処理をされることによって初めて使用可能な状態にされる、いわゆるＰＯＳアクティベーション化に対応したものがある。プリペイドカードがこのように構成されることにより、購入者がレジや窓口等で支払いを済ませるまで、プリペイドカードを使用できない状態に留めておくことができる。このようにすることにより、料金が支払われる前のプリペイドカードは金券として取り扱われる必要がないので、プリペイドカードの実物を、そのまま店頭や窓口に展示したり、街頭などで配布したりすることができる。
【０００３】
例えば、特開２００１−１６７６号公報（特許文献１）には、払込票の体裁を整えた振込片とプリペイドカードとが一体化されたカード一体型帳票が記載されている。このカード一体型帳票には、本体片からくり抜き可能としたカード部が設けられている。カード部には、数字と記号との組み合わせからなる秘匿情報を有する情報層が設けられている。秘匿情報は、カードが本体片に取り付けられているとき、隠蔽層によって隠蔽されている。
【０００４】
このカード一体型帳票は、例えば、コンビニエンスストア等の店頭にパンフレット同様におかれた陳列棚等から入手されることが特許文献１に記載されている。使用者は、払込票をカード一体型帳票から切り取りミシン目で切り取って、料金を添えて、コンビニエンスストアで振込手続きをする。さらに、コンビニエンスストア側では、払込原票片、取扱店控え票片、受領表片の受領日付印欄に押印して受領票片を切り取りミシン目で切り取って購入者に返却し、取扱店控え票を切り取りミシン目で切り取って取り扱い店控えとして保管するとともに、振込片に設けられた会員番号を受取人に通知する。受取人側では、この通知により、その会員番号のプリペイドカードが購入されたことを認知して、この会員番号のプリペイドカードを使用できるように登録処理する。
【０００５】
一方、プリペイドカードの購入者は、カード一体型帳票の本体片からカード部を剥離してプリペイドカードとして保持し、カードに記載されている秘匿情報をキーとして用いて国際電話をかけるなどすることが記載されている。
【０００６】
また、特開２００２−９６５８２号公報（特許文献２）には、払込票部とプリペイドカード部とを同一シートに形成したプリペイドカード付き複合シートが記載されている。このプリペイドカード付き複合シートにおいて、プリペイドカード部は分離可能に形成するとともにその一面側に認証用コードを記載し、シートの認証用コード記載面側には、プリペイドカード部を被覆するこれより大きい保持兼隠蔽基材を、少なくともプリペイドカード部に対しては相対的に剥離可能に貼着してなるものであることが記載されている。
【０００７】
なお、特開平１１−１１０４９４号公報（特許文献３）には、プリペイドカードではなく、ＩＤカード発行用帳票が記載されている。このＩＤカード発行用帳票は、ＩＤカードが貼付されたカード支持用紙と、所定の記入欄を備えたＩＤカード登録用紙とが切り離し用ミシン目で分離可能に一体的に設けられるとともに、ＩＤカードとＩＤカード登録用紙には同一の電子的読み取り用バーコードが付されている。
【先行技術文献】
【特許文献】
【０００８】
【特許文献１】特開２００１−１６７６号公報
【特許文献２】特開２００２−９６５８２号公報
【特許文献３】特開平１１−１１０４９４号公報
【発明の概要】
【発明が解決しようとする課題】
【０００９】
しかしながら、特開２００１−１６７６号公報（特許文献１）に記載のカード一体型帳票や、特開２００２−９６５８２号公報（特許文献２）に記載のプリペイドカード付き複合シートでは、次のような問題がある。
【００１０】
例えば、コンビニエンスストア等の代理収納機関によっては、払込票のバーコードではなく、プリペイドカード自体に表示されるバーコードや特定の番号を読み取り、所定の処理を行って、プリペイドカードをアクティベーション化させることが望ましい場合がある。また、代理収納機関やプリペイドカードの種類等によっては、代理収納に用いるバーコードの他に、プリペイドカードに付された、代理収納に関する情報以外の情報が記録されたバーコードを読み取ることが望ましい場合がある。さらに、プリペイドカードに記録された情報と払込票に記載された情報との両方を読み取って処理することが好ましい場合もある。
【００１１】
また、コンビニエンスストア等の代理収納機関で料金を支払ったり、チャージ（入金）を行ったりして、その直後に、秘匿情報を使用してサービスを受けたいと使用者が考える場合もある。このような場合には、カードの秘匿情報が隠蔽層によって隠蔽されていると、その場でカードをくり抜き、隠蔽層を剥離させて秘匿情報を露出させなければならず、プリペイドカードは手間がかかって非常に不便であるという印象を与えることがある。
【００１２】
また、コンビニエンスストア等の店舗には様々な商品が陳列されているので、プリペイドカードを他の商品とともに陳列棚に置くことしかできない場合には、プリペイドカードへの興味を喚起することが困難な場合がある。
【００１３】
そこで、この発明の目的は、コンビニエンスストア等の代理収納機関で取り扱いやすい、プリペイドカード付き帳票一体型カード台紙を提供することである。
【課題を解決するための手段】
【００１４】
この発明に従ったプリペイドカード付き帳票一体型カード台紙は、プリペイドカードと、プリペイドカードを分離可能に保持する台紙と、台紙を展示するための展示手段とを備える。台紙は、プリペイドカードが配置されるカード配置部を有する台紙本体部と、台紙本体部と分離可能に形成されて払込票として使用されるように構成される帳票部とを含む。帳票部は、電子的に読み取られる情報が記録される帳票部側情報部を有する。プリペイドカードは、電子的に読み取られる情報が記録されるカード側情報部を有する表面と、表面に対向する裏面とを含む。プリペイドカードは、表面とカード配置部との間に裏面が配置されるように台紙に保持される。カード側情報部に記録される情報と帳票部側情報部に記録される情報とは、予め定められた方法で関連づけられている。
【００１５】
コンビニエンスストア等のプリペイドカードの取扱店では、台紙を販売するために、台紙のカード配置部にプリペイドカードが配置された状態で、展示手段によって台紙を展示する。購入者は、展示されているプリペイドカード付き帳票一体型カード台紙から所望のものを選んで、プリペイドカードと帳票部ごと、レジや窓口に差し出す。
【００１６】
このように、展示手段によって台紙が展示されていることによって、購入者は、様々な商品の中から所望のプリペイドカードを探しやすくなる。また、プリペイドカードの取扱店としても、購入者の興味を喚起するように、プリペイドカードを展示しやすくなる。
【００１７】
レジや窓口では、代理収納機関の担当者が購入者からプリペイドカード付き帳票一体型カード台紙と料金を受け取り、カード側情報部に記録される情報と帳票部側情報部に記録される情報の少なくともいずれか一方を、電子的に読み取る。
【００１８】
カード側情報部に記録される情報と帳票部側情報部に記録される情報の少なくともいずれか一方が電子的に読み取られて、所定の処理が行われることによって、プリペイドカードが有効化され、購入者はプリペイドカードを使用することができるようになる。このように、プリペイドカードはレジや窓口などの販売時点（ＰＯＳ）においてアクティベーション化される。すなわち、カード側情報部に記録される情報と帳票部側情報部に記録される情報の少なくともいずれか一方が電子的に読み取られるまでは、プリペイドカードを使用することができない。
【００１９】
払込票として使用される帳票部を含む台紙を備え、電子的に読み取られる情報が記録される帳票部側情報部を帳票部が含むことによって、プリペイドカードの発行会社等でなくても、例えば、コンビニエンスストア、郵便局、銀行等の代理収納機関で収納金を収納することができる。このようにすることにより、より多くの機関でプリペイドカードを取り扱うことができるようになる。
【００２０】
また、プリペイドカードのカード側情報部に記録される情報と、帳票部の帳票部側情報部に記録される情報とがあらかじめ定められた方法で関連づけられていることによって、代理収納機関では、帳票部側情報部に記録される情報とカード側情報部に記録される情報のうち少なくともいずれか一方を読み取ることで収納金を収納することができる。例えば、コンビニエンスストアでは、帳票部の一部を切り取って購入者に返却したり、別の一部を切り取って取り扱い店控えとして保管したりすることがある。そのため、コンビニエンスストアでは、帳票部側情報部に記録されている情報を読み取って、収納金の収納とプリペイドカードのアクティベーション化とを行う方が便利である場合がある。一方、プリペイドカードの発行会社やその系列会社では、帳票部が必要でない場合がある。
【００２１】
そこで、このようにすることにより、様々な種類の代理収納機関にとって、収納金の収納とプリペイドカードのＰＯＳアクティベーション化を容易にすることができる。
【００２２】
このようにすることにより、コンビニエンスストア等の代理収納機関で取り扱いやすい、プリペイドカード付き帳票一体型カード台紙を提供することができる。
【００２３】
この発明に従ったプリペイドカード付き帳票一体型カード台紙においては、カード側情報部と帳票部側情報部とは、同一のバーコードによって形成されていることが好ましい。
【００２４】
このようにすることにより、簡単に、カード側情報部に記録される情報と帳票部側情報部に記録される情報とを関連づけることができる。また、帳票部側情報部に記録される情報のみを電子的に読み取って、プリペイドカードをＰＯＳアクティベーション化する代理収納機関が、カード側情報部に記録される情報のみを電子的に読み取って、プリペイドカードをＰＯＳアクティベーション化するように切り替えることが容易になる。
【００２５】
この発明に従ったプリペイドカード付き帳票一体型カード台紙においては、台紙と展示手段とが一体に形成されていることが好ましい。
【００２６】
このようにすることにより、プリペイドカード付き帳票一体型カード台紙の製造を少ない工程で行うことができる。
【００２７】
この発明に従ったプリペイドカード付き帳票一体型カード台紙は、プリペイドカードの表面を覆うための被覆部を備えることが好ましい。
【００２８】
また、この発明に従ったプリペイドカード付き帳票一体型カード台紙は、被覆部がプリペイドカードの表面を覆った状態に保持するための被覆状態保持手段を備えることが好ましい。
【００２９】
また、この発明に従ったプリペイドカード付き帳票一体型カード台紙は、複数の被覆状態保持手段を備えることが好ましい。
【００３０】
このようにすることにより、プリペイドカードの表面を保護することができる。
【００３１】
この発明に従ったプリペイドカード付き帳票一体型カード台紙においては、台紙と被覆部とが一体に形成されていることが好ましい。
【００３２】
このようにすることにより、プリペイドカード付き帳票一体型カード台紙の製造を少ない工程で行うことができる。
【００３３】
この発明に従ったプリペイドカード付き帳票一体型カード台紙においては、展示手段は、台紙本体部と被覆部との両方に一体に形成されていることが好ましい。
【００３４】
このようにすることにより、展示手段によって台紙を展示するとき、プリペイドカード付き帳票一体型カード台紙を安定させることができる。また、展示手段が台紙本体部と被覆部との形成されていることによって、展示手段を帳票部に配置しなくてもよくなる。
【００３５】
この発明に従ったプリペイドカード付き帳票一体型カード台紙においては、台紙と展示手段と被覆部とが一枚の紙基材によって形成され、被覆部と台紙本体部とが互いに隣接するように、被覆部と台紙本体部と帳票部とが一つの列に並べられて配置されていることが好ましい。このプリペイドカード付き帳票一体型カード台紙においては、列に沿った方向において、帳票部の長さは、台紙本体部の長さと比較して相対的に短いことが好ましい。
【００３６】
帳票部の長さが台紙本体部の長さと比較して相対的に短いので、帳票部と台紙本体部との境界と、台紙本体部と被覆部との境界において紙基材を折り曲げてたたんだとき、台紙本体部と被覆部とだけが重なり、帳票部が重ならない部分ができる。このようにすることにより、展示手段を帳票部に配置しなくてもよくなる。帳票部は、プリペイドカードの販売後にもプリペイドカードの管理に用いられることがある。そこで、このようにすることにより、帳票部に、プリペイドカードの管理に必要ない展示手段を配置することなく、展示手段によって台紙を展示することができる。
【００３７】
この発明に従ったプリペイドカード付き帳票一体型カード台紙においては、台紙と展示手段と被覆部とが一枚の紙基材によって形成され、帳票部と台紙本体部とが互いに隣接するように配置され、台紙本体部と被覆部とが互いに隣接するように配置されていることが好ましい。また、帳票部と台紙本体部との境界と、台紙本体部と被覆部との境界とにおいて、紙基材が折り曲げられた折り曲げ部が形成されていることが好ましい。このプリペイドカード付き帳票一体型カード台紙においては、被覆状態保持手段は、帳票部において台紙本体部に隣接する側の端部に対向する端部において、帳票部上に被覆部を固定するように形成されていることが好ましい。
【００３８】
また、この発明に従ったプリペイドカード付き帳票一体型カード台紙においては、被覆状態保持手段は、被覆部において台紙本体部に隣接する側の端部に対向する端部において、帳票部上に被覆部を固定するように形成されていることが好ましい。
【００３９】
このようにすることにより、簡単に、被覆部によってプリペイドカードの表面を保護することができる。
【発明の効果】
【００４０】
以上のように、この発明によれば、コンビニエンスストア等の代理収納機関で取り扱いやすい、プリペイドカード付き帳票一体型カード台紙を提供することができる。
【図面の簡単な説明】
【００４１】
【図１】本発明の第１実施形態のプリペイドカード付き帳票一体型カード台紙のプリペイドカードが配置される面の全体を示す図である。
【図２】図１に示すプリペイドカード付き帳票一体型カード台紙からプリペイドカードを取り外したときの状態を示す図である。
【図３】本発明の第１実施形態のプリペイドカード付き帳票一体型カード台紙を展示するために組み立てるときの状態を示す図である。
【図４】本発明の第１実施形態のプリペイドカード付き帳票一体型カード台紙が展示されるときの状態を示す正面図（Ａ）と、プリペイドカード付き帳票一体型カード台紙を図４の（Ａ）に示すＢ−Ｂ線の方向から見た断面図である。
【図５】本発明の第２実施形態のプリペイドカード付き帳票一体型カード台紙のプリペイドカードが配置される面の全体を示す図である。
【図６】本発明の第２実施形態のプリペイドカード付き帳票一体型カード台紙が展示されるときの状態を示す図である。
【図７】本発明の第３実施形態のプリペイドカード付き帳票一体型カード台紙のプリペイドカードが配置される面の全体を示す図である。
【図８】本発明の第３実施形態のプリペイドカード付き帳票一体型カード台紙を展示するために組み立てるときの状態を示す図である。
【図９】本発明の第３実施形態のプリペイドカード付き帳票一体型カード台紙が展示されるときの状態を示す図である。
【発明を実施するための形態】
【００４２】
以下、この発明の実施の形態を図面に基づいて説明する。
【００４３】
（第１実施形態）
図１に示すように、この発明の第１実施形態のプリペイドカード付き帳票一体型カード台紙１は、プリペイドカード１０と、台紙１００とを備える。プリペイドカード１０はプラスチックによって形成されている。台紙１００は、紙によって形成されている。なお、プリペイドカード１０と台紙１００の材質は、どちらもプラスチックであってもよいし、どちらも紙であってもよく、他の材質によって形成されていてもよい。また、プリペイドカード１０は、予め定められた金額だけのサービスを受けることができる使い切り式のものであってもよいし、繰り返しチャージ（入金）できるものであってもよい。
【００４４】
プリペイドカード１０には、カード側情報部としてカード側バーコード１１が印刷されている。カード側バーコード１１が印刷されている面がプリペイドカード１０の表面であり、表面に対向する面が裏面である。カード側バーコード１１には、プリペイドカード１０の収納金額やＰＯＳアクティベーション化に必要な情報、プリペイドカード１０を利用してサービスを受けるために必要な情報等が電子的に読み取られるように記録されている。カード側バーコード１１は、ＧＳ１−１２８体系の料金代理収納用バーコードである。このようにすることにより、カード側バーコード１１に記録された情報を、コンビニエンスストアで電子的に読み取ることができる。プリペイドカード１０には、カード側バーコード１１の他にも、プリペイドカード１０の管理等に必要な番号や他のバーコード等が記載されてもよい。
【００４５】
台紙１００は、台紙本体部１１０と帳票部１２０とを含み、長方形状の一枚の紙基材によって被覆部１３０と一体に形成されている。台紙本体部１１０と帳票部１２０と被覆部１３０とはいずれも長方形状に形成されている。紙基材上においては、被覆部１３０と台紙本体部１１０と帳票部１２０とが一列に並べて配置されている。被覆部１３０と台紙本体部１１０とが隣接し、台紙本体部１１０と帳票部１２０とが隣接して配置されている。図１に矢印Ａで示す、被覆部１３０と台紙本体部１１０と帳票部１２０とが並べて配置されている列に沿った方向において、被覆部１３０の長さＬｃと台紙本体部１１０の長さＬｂは、帳票部１２０の長さＬｆと比較して長い。被覆部１３０の長さＬｃと台紙本体部１１０の長さＬｂは、同じ長さである。台紙本体部１１０と被覆部１３０との境界１１０ａと、台紙本体部１１０と帳票部１２０との境界１１０ｂには、それぞれ、ミシン目が形成されている。
【００４６】
台紙本体部１１０と被覆部１３０とには、展示手段の一例として、それぞれ台紙本体部側吊り孔１１１と被覆部側吊り孔１３１が形成されている。このように、台紙１００と被覆部１３０と台紙本体部側吊り孔１１１と被覆部側吊り孔１３１とは一体に形成されている。台紙本体部側吊り孔１１１と被覆部側吊り孔１３１は、どちらも、紙基材を貫通する孔である。台紙本体部側吊り孔１１１と被覆部側吊り孔１３１は、どちらも、台紙本体部１１０と被覆部１３０との境界１１０ａ付近に形成されている。台紙本体部１１０と被覆部１３０との境界１１０ａから台紙本体部側吊り孔１１１の中央部までの距離Ｄ１は、台紙本体部１１０と被覆部１３０との境界１１０ａから被覆部側吊り孔１３１の中央部までの距離Ｄ２と同じ大きさである。一方、台紙本体部１１０と帳票部１２０との境界１１０ｂから台紙本体部側吊り孔１１１の中央部までの距離Ｄ３と、台紙本体部１１０と被覆部１３０との境界１１０ａに対向する被覆部１３０の端部１３０ａから被覆部側吊り孔１３１の中央部までの距離Ｄ４とは、どちらも帳票部１２０の長さＬｆよりも大きい。また、距離Ｄ３と距離Ｄ４とは同じ大きさである。台紙本体部側吊り孔１１１と被覆部側吊り孔１３１は、被覆部１３０と台紙本体部１１０と帳票部１２０とが並べて配置されている列に沿った方向、すなわち、矢印Ａで示す方向に直交する、矢印Ｂで示す方向おいて、台紙本体部１１０または被覆部１３０の中央部に形成されている。
【００４７】
台紙本体部１１０は、プリペイドカード１０が配置されるカード配置部１１２を有する。プリペイドカード１０は、表面を露出させた状態で、裏面をカード配置部１１２に接触させるようにしてカード配置部１１２上に保持されている。
【００４８】
帳票部１２０は、払込票として使用されるように、払込票として必要な情報が印刷されて構成されている。また、帳票部１２０には、帳票部側情報部として帳票部側バーコード１２１が印刷されている。帳票部側バーコード１２１には、プリペイドカード１０の収納金額やＰＯＳアクティベーション化に必要な情報、プリペイドカード１０を利用してサービスを受けるために必要な情報等が電子的に読み取られるように記録されている。帳票部側バーコード１２１は、ＧＳ１−１２８体系の料金代理収納用バーコードである。このようにすることにより、帳票部側バーコード１２１に記録された情報を、コンビニエンスストアで電子的に読み取ることができる。帳票部１２０には、帳票部側バーコード１２１の他にも、プリペイドカード１０の管理等に必要な番号や他のバーコード等が記載されてもよい。
【００４９】
帳票部側バーコード１２１は、カード側バーコード１１と同一のバーコードである。帳票部側バーコード１２１とカード側バーコード１１とは同一のバーコードで形成されることによって、互いに関連付けられている。なお、帳票部側バーコード１２１とカード側バーコード１１とは異なるバーコードによって形成されていてもよい。帳票部側バーコード１２１とカード側バーコード１１とが異なるバーコードによって形成される場合にも、帳票部側バーコード１２１とカード側バーコード１１とは、例えば、所定の方法で互いに変換され得るように、予め定められた方法で関連付けられている。
【００５０】
図２に示すように、台紙１００のカード配置部１１２には、カード貼り付け手段として接着剤（剥離型接着剤）１１３が塗布されている。接着剤１１３は、プリペイドカード１０を裏面上で仮留めするためのものであり、比較的弱い力でプリペイドカード１０と台紙本体部１１０とを剥離することができるようにプリペイドカード１０を仮留めしている。プリペイドカード１０は、この接着剤１１３によって台紙本体部１１０に仮留めされる。このように、プリペイドカード１０は、台紙１００から分離可能であるように構成されている。接着剤１１３の材質は特に限られない。また、プリペイドカード１０は接着剤１１３の他、例えば粘着テープによって台紙１００上に固定されていてもよいし、台紙本体部１１０に形成された切り込みに差し込まれて台紙１００上に保持されていてもよく、どのような方法で台紙１００上に分離可能に保持されていてもよい。
【００５１】
図３に示すように、プリペイドカード付き帳票一体型カード台紙１を展示するために組み立てるときには、まず、プリペイドカード１０がカード配置部１１２上に配置されて接着剤１１３で一時的に固定される。プリペイドカード１０がカード配置部１１２に保持された状態で、台紙本体部１１０と帳票部１２０との境界１１０ｂに形成されるミシン目で台紙１００が折り曲げられて帳票部側折り曲げ部１４１が形成される。
【００５２】
次に、帳票部１２０において帳票部側バーコード１２１が印刷されている面の裏面に、第１の被覆状態保持手段１５１と第２の被覆状態保持手段１５２として接着剤（剥離型接着剤）が塗布される。接着剤の材質は特に限られない。また、接着剤の他、例えば粘着テープによって形成されていてもよく、特に限定されない。第１の被覆状態保持手段１５１は、帳票部１２０において帳票部１２０と台紙本体部１１０との境界１１０ｂ（図１）、すなわち、帳票部側折り曲げ部１４１に対向する端部付近に形成されている。第１の被覆状態保持手段１５１を形成する接着剤は、図３に示すように、帳票部１２０と台紙本体部１１０との両方の上に配置されてもよい。第２の被覆状態保持手段１５２は、帳票部１２０において帳票部１２０と台紙本体部１１０との境界１１０ｂ（図１）付近に形成されている。
【００５３】
図４に示すように、次に、台紙本体部１１０と被覆部１３０との境界１１０ａ（図１）に形成されるミシン目で台紙１００が折り曲げられて被覆部側折り曲げ部１４２が形成される。このようにすることにより、被覆部１３０と台紙本体部１１０との間に帳票部１２０が挟まれる。また、台紙本体部側吊り孔１１１と被覆部側吊り孔１３１とが重なる。帳票部１２０上に配置された第１の被覆状態保持手段１５１と第２の被覆状態保持手段１５２を形成する接着剤によって、帳票部１２０と被覆部１３０とが接着される。第１の被覆状態保持手段１５１を形成する接着剤が台紙本体部１１０上にも配置されている場合には、帳票部１２０と被覆部１３０と台紙本体部１１０とが接着される。接着剤は、比較的弱い接着力で、簡単に剥離できるように被覆部１３０を接着することが好ましい。
【００５４】
このようにして、プリペイドカード付き帳票一体型カード台紙１は、台紙本体部側吊り孔１１１と被覆部側吊り孔１３１をバーに通すなどして展示される状態になる。
【００５５】
以上のように、第１実施形態のプリペイドカード付き帳票一体型カード台紙１は、プリペイドカード１０と、プリペイドカード１０を分離可能に保持する台紙１００と、台紙１００を展示するための台紙本体部側吊り孔１１１と被覆部側吊り孔１３１とを備える。台紙１００は、プリペイドカード１０が配置されるカード配置部１１２を有する台紙本体部１１０と、台紙本体部１１０と分離可能に形成されて払込票として使用されるように構成される帳票部１２０とを含む。帳票部１２０は、電子的に読み取られる情報が記録される帳票部側バーコード１２１を有する。プリペイドカード１０は、電子的に読み取られる情報が記録されるカード側バーコード１１を有する表面と、表面に対向する裏面とを含む。プリペイドカード１０は、表面とカード配置部１１２との間に裏面が配置されるように台紙１００に保持される。カード側バーコード１１に記録される情報と帳票部側バーコード１２１に記録される情報とは、予め定められた方法で関連づけられている。
【００５６】
コンビニエンスストア等のプリペイドカード１０の取扱店では、台紙１００を販売するために、台紙１００のカード配置部１１２にプリペイドカード１０が配置された状態で、台紙本体部側吊り孔１１１と被覆部側吊り孔１３１によって台紙１００を展示する。購入者は、展示されているプリペイドカード付き帳票一体型カード台紙１から所望のものを選んで、プリペイドカード１０と帳票部１２０ごと、レジや窓口に差し出す。
【００５７】
このように、台紙本体部側吊り孔１１１と被覆部側吊り孔１３１によって台紙１００が展示されていることによって、購入者は、様々な商品の中から所望のプリペイドカード１０を探しやすくなる。また、プリペイドカード１０の取扱店としても、購入者の興味を喚起するように、プリペイドカード１０を展示しやすくなる。
【００５８】
レジや窓口では、代理収納機関の担当者が購入者からプリペイドカード付き帳票一体型カード台紙１と料金を受け取り、カード側バーコード１１に記録される情報と帳票部側バーコード１２１に記録される情報の少なくともいずれか一方を、電子的に読み取る。
【００５９】
カード側バーコード１１に記録される情報と帳票部側バーコード１２１に記録される情報の少なくともいずれか一方が電子的に読み取られて、所定の処理が行われることによって、プリペイドカード１０が有効化され、購入者はプリペイドカード１０を使用することができるようになる。このように、プリペイドカード１０はレジや窓口などの販売時点（ＰＯＳ）においてアクティベーション化される。すなわち、カード側バーコード１１に記録される情報と帳票部側バーコード１２１に記録される情報の少なくともいずれか一方が電子的に読み取られるまでは、プリペイドカード１０を使用することができない。
【００６０】
払込票として使用される帳票部１２０を含む台紙１００を備え、電子的に読み取られる情報が記録される帳票部側バーコード１２１を帳票部１２０が含むことによって、プリペイドカード１０の発行会社等でなくても、例えば、コンビニエンスストア、郵便局、銀行等の代理収納機関で収納金を収納することができる。このようにすることにより、より多くの機関でプリペイドカード１０を取り扱うことができるようになる。
【００６１】
また、プリペイドカード１０のカード側バーコード１１に記録される情報と、帳票部１２０の帳票部側バーコード１２１に記録される情報とがあらかじめ定められた方法で関連づけられていることによって、代理収納機関では、帳票部側バーコード１２１に記録される情報とカード側バーコード１１に記録される情報のうち少なくともいずれか一方を読み取ることで収納金を収納することができる。例えば、コンビニエンスストアでは、帳票部１２０の一部を切り取って購入者に返却したり、別の一部を切り取って取り扱い店控えとして保管したりすることがある。そのため、コンビニエンスストアでは、帳票部側バーコード１２１に記録されている情報を読み取って、収納金の収納とプリペイドカード１０のアクティベーション化とを行う方が便利である場合がある。一方、プリペイドカード１０の発行会社やその系列会社では、帳票部１２０が必要でない場合がある。
【００６２】
そこで、このようにすることにより、様々な種類の代理収納機関にとって、収納金の収納とプリペイドカード１０のＰＯＳアクティベーション化を容易にすることができる。
【００６３】
このようにすることにより、コンビニエンスストア等の代理収納機関で取り扱いやすい、プリペイドカード付き帳票一体型カード台紙１を提供することができる。
【００６４】
また、プリペイドカード付き帳票一体型カード台紙１においては、カード側バーコード１１と帳票部側バーコード１２１とは、同一のバーコードによって形成されている。
【００６５】
このようにすることにより、簡単に、カード側バーコード１１に記録される情報と帳票部側バーコード１２１に記録される情報とを関連づけることができる。また、帳票部側バーコード１２１に記録される情報のみを電子的に読み取って、プリペイドカード１０をＰＯＳアクティベーション化する代理収納機関が、カード側バーコード１１に記録される情報のみを電子的に読み取って、プリペイドカード１０をＰＯＳアクティベーション化するように切り替えることが容易になる。
【００６６】
また、プリペイドカード付き帳票一体型カード台紙１は、プリペイドカード１０の表面を覆うための被覆部１３０と、被覆部１３０がプリペイドカード１０の表面を覆った状態に保持するための第１の被覆状態保持手段１５１と第２の被覆状態保持手段１５２とを備える。プリペイドカード付き帳票一体型カード台紙１は、複数の被覆状態保持手段として第１の被覆状態保持手段１５１と第２の被覆状態保持手段１５２とを備える。
【００６７】
このようにすることにより、プリペイドカード１０の表面を保護することができる。
【００６８】
また、プリペイドカード付き帳票一体型カード台紙１においては、台紙１００と台紙本体部側吊り孔１１１と被覆部側吊り孔１３１とが一体に形成され、台紙１００と被覆部１３０とが一体に形成されている。
【００６９】
このようにすることにより、プリペイドカード付き帳票一体型カード台紙１の製造を少ない工程で行うことができる。
【００７０】
また、プリペイドカード付き帳票一体型カード台紙１においては、台紙本体部側吊り孔１１１と被覆部側吊り孔１３１は、台紙本体部１１０と被覆部１３０との両方に一体に形成されている。
【００７１】
このようにすることにより、台紙本体部側吊り孔１１１と被覆部側吊り孔１３１によって台紙１００を展示するとき、プリペイドカード付き帳票一体型カード台紙１を安定させることができる。また、台紙本体部側吊り孔１１１と被覆部側吊り孔１３１が台紙本体部１１０と被覆部１３０との両方に配置されていることによって、台紙本体部側吊り孔１１１と被覆部側吊り孔１３１を帳票部１２０に配置しなくてもよくなる。
【００７２】
また、プリペイドカード付き帳票一体型カード台紙１においては、台紙１００と台紙本体部側吊り孔１１１と被覆部側吊り孔１３１と被覆部１３０とが一枚の紙基材によって形成され、被覆部１３０と台紙本体部１１０とが互いに隣接するように、被覆部１３０と台紙本体部１１０と帳票部１２０とが一つの列に並べられて配置されている。このプリペイドカード付き帳票一体型カード台紙１においては、列に沿った方向において、帳票部１２０の長さＬｆは、被覆部１３０の長さＬｃと台紙本体部１１０の長さＬｂと比較して相対的に短い。
【００７３】
このようにすることにより、台紙本体部側吊り孔１１１と被覆部側吊り孔１３１を帳票部１２０に配置しなくてもよくなる。帳票部１２０は、プリペイドカード１０の販売後にもプリペイドカード１０の管理に用いられることがある。そこで、このようにすることにより、帳票部１２０に、プリペイドカード１０の管理に必要ない台紙本体部側吊り孔１１１と被覆部側吊り孔１３１を配置することなく、台紙本体部側吊り孔１１１と被覆部側吊り孔１３１によって台紙１００を展示することができる。
【００７４】
また、プリペイドカード付き帳票一体型カード台紙１においては、帳票部１２０と台紙本体部１１０とが互いに隣接するように配置され、台紙本体部１１０と被覆部１３０とが互いに隣接するように配置されている。また、帳票部１２０と台紙本体部１１０との境界１１０ｂと、台紙本体部１１０と被覆部１３０との境界１１０ａとにおいて、紙基材が折り曲げられた帳票部側折り曲げ部１４１と被覆部側折り曲げ部１４２とが形成されている。このプリペイドカード付き帳票一体型カード台紙１においては、第１の被覆状態保持手段１５１は、帳票部１２０において台紙本体部１１０に隣接する側の端部として境界１１０ｂに対向する端部において、帳票部１２０上に被覆部１３０を固定するように形成されている。
【００７５】
また、プリペイドカード付き帳票一体型カード台紙１においては、第２の被覆状態保持手段１５２は、被覆部１３０において台紙本体部１１０に隣接する側の端部として境界１１０ａに対向する端部１３０ａにおいて、帳票部１２０上に被覆部１３０を固定するように形成されている。
【００７６】
このようにすることにより、簡単に、被覆部１３０によってプリペイドカード１０の表面を保護することができる。
【００７７】
（第２実施形態）
図５に示すように、第２実施形態のプリペイドカード付き帳票一体型カード台紙２は、プリペイドカード２０と、台紙２００とを備える。台紙２００は、台紙本体部２１０と帳票部２２０とを含む。第１実施形態のプリペイドカード付き帳票一体型カード台紙１と異なる点として、第２実施形態のプリペイドカード付き帳票一体型カード台紙２は、被覆部１３０（図１）を備えない。
【００７８】
台紙本体部２１０と帳票部２２０は、長方形状の一枚の紙基材によって一体に形成されている。台紙本体部２１０と帳票部２２０とはいずれも長方形状に形成されている。紙基材上においては、台紙本体部２１０と帳票部２２０とが隣接するように一列に並べて配置されている。台紙本体部２１０と帳票部２２０との境界２１０ａにはミシン目が形成されている。
【００７９】
台紙本体部２１０と帳票部２２０とには、展示用手段の一例として、それぞれ台紙本体部側吊り孔２１１と帳票部側吊り孔２２２が形成されている。このように、台紙２００と帳票部２２０と台紙本体部側吊り孔２１１と帳票部側吊り孔２２２とは一体に形成されている。台紙本体部側吊り孔２１１と帳票部側吊り孔２２２は、どちらも、紙基材を貫通する孔である。台紙本体部側吊り孔２１１と帳票部側吊り孔２２２は、どちらも、台紙本体部２１０と帳票部２２０との境界２１０ａに対向する紙基材の端部付近に形成されている。台紙本体部２１０と帳票部２２０との境界２１０ａから台紙本体部側吊り孔２１１の中央部までの距離Ｄ５と、台紙本体部２１０と帳票部２２０との境界２１０ａから帳票部側吊り孔２２２の中央部までの距離Ｄ６は同じ大きさである。
【００８０】
台紙本体部２１０は、プリペイドカード２０が配置されるカード配置部２１２を有する。プリペイドカード２０は、カード側情報部としてカード側バーコード２１が印刷された表面を露出させた状態で、裏面をカード配置部２１２に接触させるようにして、カード配置部２１２上に保持されている。
【００８１】
帳票部２２０は、払込票として使用されるように、払込票として必要な情報が印刷されて構成されている。また、帳票部２２０には、帳票部側情報部として帳票部側バーコード２２１が印刷されている。帳票部側バーコード２２１は、カード側バーコード２１と同一のバーコードである。
【００８２】
図６に示すように、プリペイドカード付き帳票一体型カード台紙２が展示されるときには、台紙本体部２１０と帳票部２２０との境界２１０ａに形成されるミシン目で台紙２００が折り曲げられて帳票部側折り曲げ部２４１が形成される。
【００８３】
このようにして、プリペイドカード付き帳票一体型カード台紙２は、台紙本体部側吊り孔２１１と帳票部側吊り孔２２２をバーに通すなどして展示される状態になる。
【００８４】
以上のように、第２実施形態のプリペイドカード付き帳票一体型カード台紙２は、プリペイドカード２０と、プリペイドカード２０を分離可能に保持する台紙２００と、台紙２００を展示するための台紙本体部側吊り孔２１１と帳票部側吊り孔２２２とを備える。台紙２００は、プリペイドカード２０が配置されるカード配置部２１２を有する台紙本体部２１０と、台紙本体部２１０と分離可能に形成されて払込票として使用されるように構成される帳票部２２０とを含む。帳票部２２０は、電子的に読み取られる情報が記録される帳票部側バーコード２２１を有する。プリペイドカード２０は、電子的に読み取られる情報が記録されるカード側バーコード２１を有する表面と、表面に対向する裏面とを含む。プリペイドカード２０は、表面とカード配置部２１２との間に裏面が配置されるように台紙２００に保持される。カード側バーコード２１に記録される情報と帳票部側バーコード２２１に記録される情報とは、予め定められた方法で関連づけられている。
【００８５】
このようにすることにより、コンビニエンスストア等の代理収納機関で取り扱いやすい、プリペイドカード付き帳票一体型カード台紙２を提供することができる。
【００８６】
また、プリペイドカード付き帳票一体型カード台紙２においては、カード側バーコード２１と帳票部側バーコード２２１とは、同一のバーコードによって形成されている。
【００８７】
このようにすることにより、簡単に、カード側バーコード２１に記録される情報と帳票部側バーコード２２１に記録される情報とを関連づけることができる。また、帳票部側バーコード２２１に記録される情報のみを電子的に読み取って、プリペイドカード２０をＰＯＳアクティベーション化する代理収納機関が、カード側バーコード２１に記録される情報のみを電子的に読み取って、プリペイドカード２０をＰＯＳアクティベーション化するように切り替えることが容易になる。
【００８８】
また、プリペイドカード付き帳票一体型カード台紙２においては、台紙２００と台紙本体部側吊り孔２１１と帳票部側吊り孔２２２とが一体に形成されている。
【００８９】
このようにすることにより、プリペイドカード付き帳票一体型カード台紙２の製造を少ない工程で行うことができる。
【００９０】
第２実施形態のプリペイドカード付き帳票一体型カード台紙２のその他の構成と効果は、第１実施形態のプリペイドカード付き帳票一体型カード台紙１と同様である。
【００９１】
（第３実施形態）
図７に示すように、この発明の第３実施形態のプリペイドカード付き帳票一体型カード台紙３は、プリペイドカード３０と、台紙３００とを備える。
【００９２】
プリペイドカード３０には、カード側情報部としてカード側バーコード３１が印刷されている。カード側バーコード３１が印刷されている面がプリペイドカード３０の表面であり、表面に対向する面が裏面である。
【００９３】
台紙３００は、台紙本体部３１０と帳票部３２０とを含み、一枚の紙基材によって被覆部３３０と一体に形成されている。紙基材上においては、被覆部３３０と台紙本体部３１０とが隣接し、台紙本体部３１０と帳票部３２０とが隣接して配置されている。台紙本体部３１０と帳票部３２０と被覆部３３０とはいずれも長方形状に形成されている。第１実施形態のプリペイドカード付き帳票一体型カード台紙１と異なる点としては、第３実施形態のプリペイドカード付き帳票一体型カード台紙３においては、被覆部３３０と台紙本体部３１０と帳票部３２０とが一列に並べて配置されておらず、Ｌ字形状に形成されている。台紙本体部３１０の一つの端部には被覆部３３０が連結されて台紙本体部３１０と被覆部３３０との境界３１０ａが形成され、台紙本体部３１０において境界３１０ａに隣り合う端部には帳票部３２０が連結されて台紙本体部３１０と帳票部３２０との境界３１０ｃが形成されている。
【００９４】
図７に矢印Ａで示す、被覆部３３０と台紙本体部３１０とが並べて配置されている列に沿った方向において、被覆部３３０の長さＬｃと台紙本体部３１０の長さＬｂは、帳票部３２０の長さＬｆと比較して長い。被覆部３３０の長さＬｃと台紙本体部３１０の長さＬｂは、同じ長さである。台紙本体部３１０と被覆部３３０との境界３１０ａと、台紙本体部３１０と帳票部３２０との境界３１０ｃには、それぞれ、ミシン目が形成されている。
【００９５】
台紙本体部３１０と被覆部３３０とには、台紙本体部側吊り孔３１１と被覆部側吊り孔３３１の一例として、それぞれ台紙本体部側吊り孔３１１と被覆部側吊り孔３３１が形成されている。このように、台紙３００と被覆部３３０と台紙本体部側吊り孔３１１と被覆部側吊り孔３３１とは一体に形成されている。台紙本体部側吊り孔３１１と被覆部側吊り孔３３１は、どちらも、紙基材を貫通する孔である。台紙本体部側吊り孔３１１と被覆部側吊り孔３３１は、どちらも、台紙本体部３１０と被覆部３３０との境界付近に形成されている。台紙本体部３１０と被覆部３３０との境界３１０ａに対向する台紙本体部３１０の端部３１０ｂから台紙本体部側吊り孔３１１の中央部までの距離Ｄ７は、台紙本体部３１０と被覆部３３０との境界３１０ａに対向する被覆部３３０の端部３３０ａから被覆部側吊り孔３３１の中央部までの距離Ｄ８と同じ大きさである。距離Ｄ７と距離Ｄ８は、どちらも帳票部３２０の長さＬｆよりも大きい。台紙本体部側吊り孔３１１と被覆部側吊り孔３３１は、被覆部３３０と台紙本体部３１０とが並べて配置されている列に沿った方向、すなわち、矢印Ａで示す方向に直交する、矢印Ｂで示す方向おいて、台紙本体部３１０または被覆部３３０の中央部に形成されている。
【００９６】
台紙本体部３１０は、プリペイドカード３０が配置されるカード配置部３１２を有する。プリペイドカード３０は、表面を露出させた状態で、裏面をカード配置部３１２に接触させるようにしてカード配置部３１２上に保持されている。
【００９７】
帳票部３２０は、払込票として使用されるように、払込票として必要な情報が印刷されて構成されている。また、帳票部３２０には、帳票部側情報部として帳票部側バーコード３２１が印刷されている。
【００９８】
図８に示すように、プリペイドカード付き帳票一体型カード台紙３が展示するために組み立てられるときには、まず、プリペイドカード３０がカード配置部３１２上に配置されて接着剤で一時的に固定される。プリペイドカード３０がカード配置部３１２に保持された状態で、台紙本体部３１０と帳票部３２０との境界３１０ｃに形成されるミシン目で台紙３００が折り曲げられて帳票部側折り曲げ部３４１が形成される。
【００９９】
次に、帳票部３２０において帳票部側バーコード３２１が印刷されている面の裏面に、第１の被覆状態保持手段３５１と第２の被覆状態保持手段３５２として接着剤が塗布される。接着剤の材質は特に限られない。また、接着剤の他、例えば粘着テープによって形成されていてもよく、特に限定されない。第１の被覆状態保持手段３５１は、帳票部３２０において台紙本体部３１０の端部３１０ｂ（図７）に対向する端部付近に形成されている。第１の被覆状態保持手段３５１を形成する接着剤は、図８に示すように、帳票部３２０と台紙本体部３１０との両方の上に配置されてもよい。第２の被覆状態保持手段３５２は、帳票部３２０において台紙本体部３１０の端部３１０ｂ（図７）付近に形成されている。
【０１００】
図９に示すように、次に、台紙本体部３１０と被覆部３３０との境界３１０ａに形成されるミシン目で台紙３００が折り曲げられて被覆部側折り曲げ部３４２が形成される。このようにすることにより、被覆部３３０と台紙本体部３１０との間に帳票部３２０が挟まれる。また、台紙本体部側吊り孔３１１と被覆部側吊り孔３３１とが重なる。帳票部３２０上に配置された第１の被覆状態保持手段３５１と第２の被覆状態保持手段３５２を形成する接着剤によって、帳票部３２０と被覆部３３０とが接着される。第１の被覆状態保持手段３５１を形成する接着剤が台紙本体部３１０上にも配置されている場合には、帳票部３２０と被覆部３３０と台紙本体部３１０とが接着される。接着剤は、比較的弱い接着力で被覆部３３０を接着することが好ましい。
【０１０１】
このようにして、プリペイドカード付き帳票一体型カード台紙３は、台紙本体部側吊り孔３１１と被覆部側吊り孔３３１をバーに通すなどして展示される状態になる。
【０１０２】
以上のように、第３実施形態のプリペイドカード付き帳票一体型カード台紙３は、プリペイドカード３０と、プリペイドカード３０を分離可能に保持する台紙３００と、台紙３００を展示するための台紙本体部側吊り孔３１１と被覆部側吊り孔３３１とを備える。台紙３００は、プリペイドカード３０が配置されるカード配置部３１２を有する台紙本体部３１０と、台紙本体部３１０と分離可能に形成されて払込票として使用されるように構成される帳票部３２０とを含む。帳票部３２０は、電子的に読み取られる情報が記録される帳票部側バーコード３２１を有する。プリペイドカード３０は、電子的に読み取られる情報が記録されるカード側バーコード３１を有する表面と、表面に対向する裏面とを含む。プリペイドカード３０は、表面とカード配置部３１２との間に裏面が配置されるように台紙３００に保持される。カード側バーコード３１に記録される情報と帳票部側バーコード３２１に記録される情報とは、予め定められた方法で関連づけられている。
【０１０３】
このようにすることにより、コンビニエンスストア等の代理収納機関で取り扱いやすい、プリペイドカード付き帳票一体型カード台紙３を提供することができる。
【０１０４】
また、プリペイドカード付き帳票一体型カード台紙３においては、カード側バーコード３１と帳票部側バーコード３２１とは、同一のバーコードによって形成されている。
【０１０５】
このようにすることにより、簡単に、カード側バーコード３１に記録される情報と帳票部側バーコード３２１に記録される情報とを関連づけることができる。また、帳票部側バーコード３２１に記録される情報のみを電子的に読み取って、プリペイドカード３０をＰＯＳアクティベーション化する代理収納機関が、カード側バーコード３１に記録される情報のみを電子的に読み取って、プリペイドカード３０をＰＯＳアクティベーション化するように切り替えることが容易になる。
【０１０６】
また、プリペイドカード付き帳票一体型カード台紙３は、プリペイドカード３０の表面を覆うための被覆部３３０と、被覆部３３０がプリペイドカード３０の表面を覆った状態に保持するための第１の被覆状態保持手段３５１と第２の被覆状態保持手段３５２とを備える。プリペイドカード付き帳票一体型カード台紙３は、複数の被覆状態保持手段として第１の被覆状態保持手段３５１と第２の被覆状態保持手段３５２とを備える。
【０１０７】
このようにすることにより、プリペイドカード３０の表面を保護することができる。
【０１０８】
また、プリペイドカード付き帳票一体型カード台紙３においては、台紙３００と台紙本体部側吊り孔３１１と被覆部側吊り孔３３１とが一体に形成され、台紙３００と被覆部３３０とが一体に形成されている。
【０１０９】
このようにすることにより、プリペイドカード付き帳票一体型カード台紙３の製造を少ない工程で行うことができる。
【０１１０】
また、プリペイドカード付き帳票一体型カード台紙３においては、台紙本体部側吊り孔３１１と被覆部側吊り孔３３１は、台紙本体部３１０と被覆部３３０との両方に一体に形成されている。
【０１１１】
このようにすることにより、台紙本体部側吊り孔３１１と被覆部側吊り孔３３１によって台紙３００を展示するとき、プリペイドカード付き帳票一体型カード台紙３を安定させることができる。また、台紙本体部側吊り孔３１１と被覆部側吊り孔３３１が台紙本体部３１０と被覆部３３０との両方に配置されていることによって、台紙本体部側吊り孔３１１と被覆部側吊り孔３３１を帳票部３２０に配置しなくてもよくなる。
【０１１２】
また、プリペイドカード付き帳票一体型カード台紙３においては、帳票部３２０と台紙本体部３１０とが互いに隣接するように配置され、台紙本体部３１０と被覆部３３０とが互いに隣接するように配置されている。また、帳票部３２０と台紙本体部３１０との境界３１０ｃと、台紙本体部３１０と被覆部３３０との境界３１０ａとにおいて、紙基材が折り曲げられた帳票部側折り曲げ部３４１と被覆部側折り曲げ部３４２とが形成されている。このプリペイドカード付き帳票一体型カード台紙３においては、第１の被覆状態保持手段３５１は、帳票部３２０において台紙本体部３１０の端部３１０ｂに対向する端部において、帳票部３２０上に被覆部３３０を固定するように形成されている。
【０１１３】
また、この発明に従ったプリペイドカード付き帳票一体型カード台紙３においては、第２の被覆状態保持手段３５２は、被覆部３３０において台紙本体部３１０に隣接する側の端部として境界３１０ａに対向する端部３３０ａにおいて、帳票部３２０上に被覆部３３０を固定するように形成されている。
【０１１４】
このようにすることにより、簡単に、被覆部３３０によってプリペイドカード３０の表面を保護することができる。
【０１１５】
第３実施形態のプリペイドカード付き帳票一体型カード台紙３のその他の構成と効果は、第１実施形態のプリペイドカード付き帳票一体型カード台紙１と同様である。
【０１１６】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【符号の説明】
【０１１７】
１，２，３：プリペイドカード付き帳票一体型カード台紙、１０，２０，３０：プリペイドカード、１１，２１，３１：カード側バーコード、１００，２００，３００：台紙、１１０，２１０，３１０：台紙本体部、１１１，２１１，３１１：台紙本体部側吊り孔、１１２，２１２，３１２：カード配置部、１２０，２２０，３２０：帳票部、１２１，２２１，３２１：帳票部側バーコード、２２２：帳票部側吊り孔、１３０，３３０：被覆部、１３１，３３１：被覆部側吊り孔、１４１，２４１，３４１：帳票部側折り曲げ部、１４２，３４２：被覆部側折り曲げ部、１５１，３５１：第１の被覆状態保持部、１５２，３５２：第２の被覆状態保持部。
【図１】
2012076321.tif 000003
【図２】
2012076321.tif 000004
【図３】
2012076321.tif 000005
【図４】
2012076321.tif 000006
【図５】
2012076321.tif 000007
【図６】
2012076321.tif 000008
【図７】
2012076321.tif 000009
【図８】
2012076321.tif 000010
【図９】
2012076321.tif 000011